(57)【要約】【課題】この発明は、損傷した建物など危険な場所からの脱出に必要な用具を収納でき、とき場所に困らない避難用具収納容器を提供することを目的とする。【解決手段】上記の課題を解決するために、この発明の避難用具収納容器１は、直角三角形の断面である筒状部２と、筒状部２に被せる上部キャップ部材３および下部キャップ部材４を有し、筒状部２の外面には消臭成分を担持した合成樹脂メッシュ５が設けられており、筒状部の内面には避難用具保持部材６が設けられている。【選択図】図１
2013248120.tif 000002
【特許請求の範囲】
【請求項１】
直角三角形の断面である筒状部と、筒状部に被せる上部キャップ部材および下部キャップ部材を有し、筒状部の外面には消臭成分を担持した合成樹脂メッシュが設けられており、筒状部の内面には避難用具保持部材が設けられている、避難用具収納容器。
【請求項２】
筒状部の内面にはバールを保持するベルトが設けられている請求項１に記載の避難用具収納容器。
【請求項３】
筒状部は中央面状部と、中央面状部材の両側にそれぞれ角度可変に接続された側部面状部材より構成され、２つの側部面状部材同士は固定されておらず、筒状部を展開することができるようになした請求項１または請求項２に記載の避難用具収納容器。
【請求項４】
２つの側部面状部材の幅は実質的に同じであり、中央面状部材の幅は側部面状部材の幅の√２倍であり、側部面状部材において中央面状部材に接続された側とは反対側の側部に面ファスナが設けられている請求項３に記載の避難用具収納容器。
【発明の詳細な説明】
【技術分野】
【０００１】
この発明は、災害時において損傷した場所から脱出するための用具を収納する容器に関する。
【背景技術】
【０００２】
地震等の災害のため対策として、ペットボトル入り飲料水や非常食、カセットコンロなどを備えることが提唱されており、また、これらを箱や袋などの容器に入れた非常時用品セットも販売されている。特許文献１には、エレベーター内に設置される救援物資保管容器であって、容器本体と、該容器本体に着脱自在とした蓋と、前記容器本体内に収容した救援物資で構成され、救援物資は、非常食缶、飲料缶等の缶類と、簡易トイレ、間仕切り等の缶類以外のその他物資とを具備するとともに、缶類、その他物資のそれぞれを真空包装して構成ことが記載されている。このような非常時用品は、安全な場所に避難した後、正常な生活に戻るまでの間に有用である。しかし、これらのグッズは、倒壊した建物からの脱出のためには使用できない。
【０００３】
神戸淡路大震災の時には、死傷者の多くは倒壊した建物の内部で生じている。したがって、災害の時には、まず危険な場所から脱出することが重要である。地震などで損傷した建物ではドアが開きにくくなり、これをこじ開けるのにバールやハンマーなどが有効であることが報告されている。しかし、このように危険個所からの脱出に必要な避難用具については、いまだにほとんど整備されていない。たとえば、特許文献２には、防災用具として、パイプの内部に長さの異なった複数個のインナー容器を収納し、パイプの中間に仕切り栓を設け、仕切り栓の片方側に工具収納部を設け、パイプの端部両側にキャツプを設け、パイプの外面に固定具を設けることが記載されている。
【先行技術文献】
【特許文献】
【０００４】
【特許文献１】実用新案登録第３１２８８３２号公報
【特許文献２】特開平１０−２３４４５１号公開公報
【発明の概要】
【発明が解決しようとする課題】
【０００５】
従来の防災用品のほとんどは、保存食など、安全な場所に移動した後に使用するものであった。一方、危険な場所からの脱出に有用であるバールや大型ハンマーなどは、ほとんど備え付けられていない。これらの用具は、普段は使用されないので、家屋や事務所などで適当な置き場所が見当たらない。仮に、倉庫などに保管しても、その場所について知られていなければ、災害時に利用されにくい。
【０００６】
特許文献２には、「避難用品と脱出、救出、救助用用具が一本のパイプ内に収まるので、保管スペースもとらず、邪魔にならず、保管場所の美観もそこねることがない。」と記載されている（０００６段落）。しかし、必要な工具を揃えれば一定の場所をとるものにならざるを得なく、これを出入りの多い玄関などに置けば、当然、邪魔になる。しかも、これを柱に固定具で固定すれば、美観も悪くなる。また、パイプの中から長いバールを取り出すためには、ある程度広い空間が必要となり、地震で家具などが倒れていたり、物が散乱した状態では、容易に使用することはできない。
【０００７】
さらに、特許文献２に記載されたような防災用品は、災害時以外のときは何の用途もなく、ただ場所を取るだけである。
【０００８】
この発明は、損傷した建物など危険な場所からの脱出に必要な用具を収納でき、置き場所に困らない避難用具収納容器を提供することを目的とする。
【課題を解決するための手段】
【０００９】
上記の課題を解決するために、この発明の避難用具収納容器は、直角三角形の断面である筒状部と、筒状部に被せる上部キャップ部材および下部キャップ部材を有し、筒状部の外面には消臭成分を担持した合成樹脂メッシュが設けられており、筒状部の内面には避難用具保持部材が設けられている。筒状部の内面にはバールを保持するベルトが設けることが好ましい。また、筒状部は中央面状部と、中央面状部材の両側にそれぞれ角度可変に接続された側部面状部材より構成され、２つの側部面状部材同士は固定されておらず、筒状部を展開することができるようになすことが好ましい。さらに、２つの側部面状部材の幅は実質的に同じであり、中央面状部材の幅は側部面状部材の幅の√２倍であり、側部面状部材において中央面状部材に接続された側とは反対側の側部に面ファスナが設けられていることが好ましい。
【発明の効果】
【００１０】
この発明の避難用具収納容器は、断面が直角三角形である三角柱状の外形を有し、美観に優れ、トイレの隅部に置くことができる。筒状部の外面には消臭成分を担持した合成樹脂メッシュが設けられており、消臭効果を有する。したがって、トイレに設置した場合、この避難用具収納容器のみである程度の消臭ができ、換気用ファンの回転を少なくすることができ、エネルギーの消費を減少させることができる。内部には、バールや大型ハンマーなど、建物からの脱出に必要な避難用具を収納でき、必要時には簡単に取り出すことができる。
【図面の簡単な説明】
【００１１】
【図１】避難用具収納容器を示す一部切断斜視図である。
【図２】筒状部の外側を示す展開図である。
【図３】筒状部の内側を示す展開図である。
【図４】使用状態の筒状部を示す斜視図である。
【発明を実施するための形態】
【００１２】
本発明を実施するための形態について、図面に基づいて詳細に説明する。図１は避難用具収納容器を示す一部断面斜視図である。
【００１３】
避難用具収納容器１は、直角三角形の断面である筒状部２と、筒状部２の上端および下端に取り付ける上部キャップ部材３と下部キャップ部材４を有する。筒状部２の外面には消臭成分を担持した合成樹脂メッシュ５が設けられており、筒状部の内面には避難用具保持部材６が設けられている。
【００１４】
図２は筒状部の外側を示す展開図、図３は同じく内側を示す展開図である。筒状部２は中央面状部材９と、中央面状部材９の両側にそれぞれ角度可変に接続された側部面状部材７，８より構成される。２つの側部面状部材同士７，８は固定されておらず、筒状部２は図２に示すように展開することができる。
【００１５】
２つの側部面状部材７，８の幅は実質的に同じであり、中央面状部材９の幅は側部面状部材７，８の幅の√２倍である。この例では、中央面状部材９の幅は３３ｃｍ、側部中央面状部材７，８の幅は２３ｃｍであり、高さは共に９０ｃｍである。ここで、側部中央面状部材７，８では面ファスナを設けるための合わせ面部がさらに５ｃｍ程度伸びている。中央面状部材９および側部面状部材８，９にはそれぞれ板状の芯材１０，１１，１２が設けられている。ここでは、芯材として厚さ５ｍｍのプラスチック段ボールを切り出したものを使用している。そして、この芯材１０，１１，１２の外側には合成樹脂メッシュ５が設けられている。
【００１６】
合成樹脂メッシュ５は、塩化ビニールやポリエステルなどの合成樹脂を基材としており、厚さは０．５ｍｍ程度である。格子状のメッシュであり、孔の大きさは０．５〜２ｍｍ程度である。この合成樹脂メッシュ５には、消臭成分が設けられている。ここでは、酸化鉱石と竹炭の微粉末をエポキシ樹脂で塗布している。竹炭は空気中のにおい分子を吸着する。におい分子は、主に硫化化合物、アミン化合物、カルボニウム化合物からなる。一方、酸化鉱石は光照射や物理的刺激を受けるとマイナスイオンを発生する。このマイナスイオンが、におい分子の分子鎖を断ち切り、別の物資に分解する。
【００１７】
この酸化鉱石と竹炭を消臭成分とするメッシュ材の消臭効果について説明する。このメッシュ材を小さく切り出し、ポリ袋に入れる。この袋内に一定濃度のにおい成分を入れて、濃度の時間変化を測定する。比較として、メッシュ材を入れないポリ袋でもにおい成分の濃度変化を調べた。その結果、アンモニア、アセトアルデヒド、イソ吉草酸、トルエン、トリメチルアミン、酢酸のいずれについても、比較例に比べて顕著に濃度を低下させることが確認できた。この１２０時間にわたって測定したが、いずれの成分においても、濃度低下が継続した。さらに、抗菌効果も確認された。
【００１８】
つぎに、筒状部の作り方の例について説明する。使用する合成樹脂メッシュの原反シートの高さは、図２に示す展開状態の筒状部の高さと同じであり、その幅は展開状態の筒状部の幅の２倍である。この原反シートを二つ折りにして重ね、下端部、左右の側端部、中央面状部材と側部面状部材の境界部を所定の幅で熱溶着などにより接続する。このようにして、芯材１０，１１，１２が入るポケット部が形成される。このポケット部に芯材１０，１１，１２を入れ、上端部を熱溶着などにより閉じることにより、筒状部の基本骨格が形成される。
【００１９】
筒状部２は軽量で剛性の高い芯材１０，１１，１２を有する。また、中央面状部材と側部面状部材の境界部における合成樹脂メッシュの張り合わせ部は折り曲げ自在なので、中央面状部材と側部面状部材はそれぞれ角度可変である。したがって、図１のように三角柱状にして立てることができ、さらに図２、図３のように展開することもできる。消臭成分を担持した合成樹脂メッシュは、筒状部の外面に配置されるとともに、内面側にも配置されており、広い表面積で消臭効果を上げることができる。
【００２０】
筒状部２の内面側には、避難用具保持部材が設けられる。避難用具保持部材として、バール保持ベルト１３が高さ方向に沿って複数設けられている。このバール保持ベルト１３は面ファスナなどによって開閉可能となっており、バール１４を保持する。また、ハンマー保持ベルト１５も設けられており、大型のハンマー１６を保持する。
【００２１】
避難用具保持部材として、さらに、複数のフック１７が設けられている。このフック１７には、プラスチック製の袋１８を吊り下げることができ、連絡先などを記した書類や重要書類のコピー、メモ用紙、筆記用具、小物などを収納できる。さらに、多数のポケット１９も設けられ、書類や小物などが収納でき、使用時には簡単に取り出すことができる。
【００２２】
筒状部２の外面側の一側部（図２において右側）には、接続部材として面ファスナ２０が設けられている。また、筒状部２の内面側で反対側の側部（図３において右側）には、内面側の面ファスナ２０に対応する面ファスナ２１が設けられている。さらにこの例では、面ファスナ２１が設けられている側部の外面側（図２において左側）にも対応する面ファスナ２２が設けられている。
【００２３】
上部キャップ部材３および下部キャップ部材４は直角三角形の底面を有するキャップであり、プラスチックなど軽量で固い素材で作られる。
【００２４】
筒状部２の外面側を外に向けて三角柱状にし、面ファスナ２０と面ファスナ２１を貼り合わせることにより、避難用具を内側に保持した状態となる。内面側の面ファスナ２０と外面側の面ファスナ２１を合わせることにより、合わせ面が三角柱の外側に突き出ない。したがって、外観が美しく、しかも、部屋の隅部に設置するときに合わせ面が邪魔にならない。この状態で、筒状部２に上部キャップ部材３および下部キャップ部材４を取り付けると、図１に示すような状態となる。
【００２５】
一方、筒状部２の内面側を外に向けて三角柱状にし、面ファスナ２０と面ファスナ２２を貼り合わせることにより、避難用具を内側に保持した状態となる。図５は使用状態の筒状部の例を示す斜視図である。この場合でも、筒状部２は三角柱状であるので安定して立っている。収納されている全ての用具が外から見えるので、緊急時においても最適な用具を簡単に選択して取出すことができる。
【００２６】
避難用具収納容器の設置について説明する。この避難用具収納容器１は、直角三角形を底面とする三角柱の形状であるので、部屋の隅部に設置するのに適している。余分な場所を取らず、設置状態の外観にも優れる。特に、トイレの隅部に設置するのが好ましい。住宅のトイレにせよ、事務所ビルのトイレにせよ、住人は毎日使用するので、避難用具収納容器を毎日見ることになる。したがって、住人は避難用具収納容器１の設置場所を確実に把握しており、災害時にもすぐに探し出すことができる。しかも、住宅のトイレの部屋は、住宅の中の部屋で最も頑丈だといわれている。したがって、地震によって建物の一部が損傷しても、トイレの部屋が残っている可能性は高く、その意味においても避難用具収納容器１および内部の避難用具保持部材を設置するのに適している。
【００２７】
この避難用具収納容器１は、外面には消臭成分を担持した合成樹脂メッシュが設けられているので、平常時にはトイレの消臭部材として機能する。たとえば、避難用具収納容器を設置する前にトイレの臭いを新コスモス電機株式会社のポータブル型ニオイセンサXP-329mで測定したところ測定値が１７５であったが、避難用具収納容器を設置してから２時間後の測定値は１であった。この測定装置の測定範囲が０〜９９９であり、測定値が１であることは装置が測定できる最小値であることを示す。この避難用具収納容器だけでも十分に消臭できることが確認できる。したがって、消臭ファンを使用する必要がなくなり、仮に消臭ファンを使用するにしても通常よりはるかに少ない回転数ですむ。これにより、電力消費を低減できる。
【００２８】
合成樹脂メッシュの消臭作用は長時間継続することは既に説明した。そして、消臭作用が低下してきても、天日干しをすれば消臭作用は回復する。避難用具収納容器１をときどき取出して、筒状部２を開いて天日干しをするときに、収納された避難用具の状態をチェックすることができる。
【００２９】
避難用具収納容器１には、バールや大型ハンマーを収納できる。これらの用具は、壊れた扉をこじ開けるのに有効であることはこれまでの震災で確認されている。さらに、ロープを収納しておけば、２階、３階から脱出することができる。また、懐中電灯や予備の電池・電球、ラジオ、呼び笛などを収容してもよい。
【符号の説明】
【００３０】
１．避難用具収納容器
２．筒状部
３．上部キャップ部材
４．下部キャップ部材
５．合成樹脂メッシュ
６．避難用具保持部材
７．中央面状部材
８，９  側部面状部材
１４．バール
２０，２１，２２  面ファスナ
【図１】
2013248120.tif 000003
【図２】
2013248120.tif 000004
【図３】
2013248120.tif 000005
【図４】
2013248120.tif 000006